(57)【要約】【課題】しみ出した母乳に起因する雑菌の繁殖を防ぐとともに、環境への負荷を最小限に留める得る乳頭パッチを提供する。【解決手段】乳頭パッチ１は、シート状本体１０が非溶出性抗菌剤を担持させた不織布からなり、このシート状本体１０の一面側の周縁部に粘着剤１１が付与されてなる。前記不織布はレーヨンスパンレースが好ましい。また、前記非溶出性抗菌剤は、カチオン化剤およびこのカチオン化剤を介して担持される酸化還元能を有する金属錯体であって、前記酸化還元能を有する金属錯体は金属ポルフィリン、金属ポルフィラジンおよびこれらの誘導体ならびに高分子金属錯体のなかから選ばれた少なくとも１種であることが好ましい。【選択図】    図２
2004316006.tif 000002
【特許請求の範囲】
【請求項１】
シート状本体が非溶出性抗菌剤を担持させた不織布からなり、このシート状本体の一面側の周縁部に粘着剤が付与されてなることを特徴とする乳頭パッチ。
【請求項２】
前記不織布はレーヨンである請求項１に記載の乳頭パッチ。
【請求項３】
前記不織布はスパンレースである請求項１または２に記載の乳頭パッチ。
【請求項４】
前記不織布の目付は５０〜２００ｇ／ｍ２である請求項１〜３のいずれか１項に記載の乳頭パッチ。
【請求項５】
前記不織布の厚さは０．３〜１ｍｍである請求項１〜４のいずれか１項に記載の乳頭パッチ。
【請求項６】
前記シート状本体は四角形である請求項１〜５のいずれか１項に記載の乳頭パッチ。
【請求項７】
前記シート状本体は円相当直径が６〜８ｃｍである請求項１〜６のいずれか１項に記載の乳頭パッチ。
【請求項８】
前記粘着剤は周縁部の一部に付与されている請求項１〜７のいずれか１項に記載の乳頭パッチ。
【請求項９】
前記抗菌剤は、カチオン化剤およびこのカチオン化剤を介して担持される酸化還元能を有する金属錯体であって、前記酸化還元能を有する金属錯体は金属ポルフィリン、金属ポルフィラジンおよびこれらの誘導体ならびに高分子金属錯体のなかから選ばれた少なくとも１種である請求項１〜８のいずれか１項に記載の乳頭パッチ。
【請求項１０】
前記酸化還元能を有する金属錯体は金属フタロシアニンである請求項９に記載の乳頭パッチ。
【請求項１１】
前記カチオン化剤は第４級アンモニウム塩である請求項９または１０に記載の乳頭パッチ。
【発明の詳細な説明】
【０００１】
【発明の属する技術分野】
この発明は授乳用パッドまたは授乳用ブラジャーに装着して用いる乳頭パッチに関する。
【０００２】
【従来の技術】
授乳婦は授乳時以外でも母乳がしみ出すため、しみ出した母乳を吸収するための授乳用ブラジャーを使用したり、ブラジャーと乳房の間にパッドを介装したりするのが一般的である。
【０００３】
このような授乳用ブラジャーのパッド部分または介装用パッドとして、従来より吸収材をドーム状に成形したものがあり、これらは洗濯して繰り返し使用される。また近年では、ディスポーザブルのパッドとして、パルプ体、あるいは吸水性ポリマーを混入したパルプ体からなる吸収層と、吸収した母乳を外側に漏らさないための防水層とが積層されたものがある（例えば特許文献１〜４）。
【０００４】
【特許文献１】
特許第３１２２５４８号公報
【０００５】
【特許文献２】
特開２０００−２２６７０２号公報
【０００６】
【特許文献３】
特開２００１−１１７０５号公報
【０００７】
【特許文献４】
特開平７−３００７０２号公報
【０００８】
【発明が解決しようとする課題】
しかしながら、母乳を吸収したパッドをそのまま長時間使用していると、母乳の栄養分、湿気、体温によって雑菌が繁殖しやすくなって乳頭のかぶれや亀裂を引き起こすことがある。さらに、炎症を起こした乳頭を乳児が吸うと、乳児の口元も雑菌によって炎症を起こす危険がある。一旦このような症状が現れると、母乳がしみ出している限りは非常に治りにくく、母親と乳児の両方に苦痛を与えることになる。また、雑菌が繁殖すると臭気が発生して不快でもある。
【０００９】
このような問題点はブラジャーやパッドを頻繁に取り替えればある程度解消されるが、２時間おきに授乳しなければならない産後間もない母親にとっては負担が大きい。また、ディスポーザブルのパッドを使用すると洗濯の負担はないが、資源の消費、廃棄されたパッドの焼却等といった環境面から好ましいことではない。
【００１０】
この発明は、上述した現状に鑑み、しみ出した母乳に起因する雑菌の繁殖を防ぐとともに、環境への負荷を最小限に留め得る乳頭パッチの提供を目的とする。
【００１１】
【課題を解決するための手段】
前記目的を達成するために、、本発明の乳頭パッチは、シート状本体が非溶出性抗菌剤を担持させた不織布からなり、このシート状本体の一面側の周縁部に粘着剤が付与されてなることを基本要旨とする。
【００１２】
前記乳頭パッチにおいて、前記不織布はレーヨンであることが好ましい。またスパンレースであることが好ましい。
【００１３】
さらに、前記不織布の目付は５０〜２００ｇ／ｍ２であることが好ましく、厚さは０．３〜１ｍｍであることが好ましい。
【００１４】
前記シート状本体は四角形であることが好ましい。
【００１５】
また、前記シート状本体の円相当直径が６〜８ｃｍであることが好ましい。
【００１６】
前記粘着剤は周縁部の一部に付与されていることが好ましい。
【００１７】
前記乳頭パッチにおいて、前記抗菌剤は、カチオン化剤およびこのカチオン化剤を介して担持される酸化還元能を有する金属錯体であって、前記酸化還元能を有する金属錯体は金属ポルフィリン、金属ポルフィラジンおよびこれらの誘導体ならびに高分子金属錯体のなかから選ばれた少なくとも１種であることが好ましい。
【００１８】
また、前記酸化還元能を有する金属錯体は金属フタロシアニンであることが好ましい。
【００１９】
また、前記カチオン化剤は第４級アンモニウム塩であることが好ましい。
【００２０】
【発明の実施の形態】
図１（Ａ）（Ｂ）に、本発明にかかる乳頭パッチの一実施形態を示す。
【００２１】
乳頭パッチ（１）は、円形に裁断されたシート状本体（１０）の一面側において周縁部にリング状の両面粘着テープ（１１）が取付られている。両面粘着テープ（１１）は基材の両面に粘着剤を塗布したものであり、一面側がシート状本体（１０）に接着され、他面側（視認できる面）が剥離紙（１２）に積層されている。
【００２２】
前記乳頭パッチ（１）は、図２および図３に示すように、剥離紙（１２）を剥がしてブラジャー（３）に介装する授乳用パッド（２）に粘着テープ（１１）で貼り付けることによって該パッド（２）に装着される。装着位置は、乳頭にシート状本体（１０）の中心が当たるようにする。なお、乳頭パッチ（１）は、ブラジャー（３）のカップ部に直接装着することもできる。
【００２３】
前記乳頭パッチ（１）を装着することによって、しみ出した母乳は乳頭パッチ（１）を介してパッド（２）等に吸収される。また、乳頭パッチ（１）は乳頭を介して間接的に乳児の口に触れ、乳頭パッチ（１）から脱落したものは体内にも入る。このような使用環境に鑑み、本発明ではシート状本体（１０）が母乳で濡れても溶出しない抗菌剤を用いることによって乳児に対する安全性を確保している。さらに、シート状本体（１０）を構成する不織布、および不織布に担持させる非溶出性抗菌剤は次の条件を満たすことが好ましい。
【００２４】
不織布は、付着した母乳をパッド（２）に吸収させるために透水性を必要とするが、不織布自体に保水性を必要とせず、湿潤状態で相応の強度を有する限り薄いものが好ましい。むしろ、柔軟で乳頭への刺激がなくパッド（２）の丸みに沿い易いものが好ましい。パッド（２）に対して乳頭パッチ（１）を隙間無く密着させて装着する方がパッド（２）に母乳が吸収され易いためである。これらの理由により、不織布は目付が５０〜２００ｇ／ｍ２、厚さが０．３〜１ｍｍが好ましい。特に好ましい目付および厚さはそれぞれ６０〜８０ｇ／ｍ２、０．４〜０．７ｍｍである。
【００２５】
シート状本体（１０）は、乳輪を確実に覆う大きさに形成することが好ましく、円相当直径６ｃｍ以上が好ましい。一方、過度に大きくなると材料が無駄になるし、パッド（２）の丸みに沿わせにくくなるため、８ｃｍ以下が好ましい。シート状本体（１０）は粘着テープ（１１）でパッド（２）に固定されて位置ずれしないため、パッド（２）径よりも小さくても確実に乳頭および乳輪を覆うことができる。なお、シート状本体が角形の場合は、内接円直径が上記範囲であることが好ましい。
【００２６】
不織布の素材としてはレーヨンを推奨できる。レーヨンは柔軟であり、また木質パルプを溶解して紡糸するため、天然綿花のように残留農薬による汚染がなく安全性の確保および製造工程管理が容易である。またセルロースであるから分子内に多くの水酸基を有し後述する抗菌剤の担持に有利である。さらに、他の合成繊維のように使用後に焼却してもダイオキシン等の有害物質の発生もない。
【００２７】
不織布の種類は、高圧水をウエブに噴射して繊維を交絡させるスパンレースが好ましい。スパンレースはバインダーを用いず繊維間の結合がなされるため、柔軟でバインダーが間接的に乳児の口に入るといった危険がなく、安全性を確保できる。
【００２８】
前記不織布には非溶出性抗菌剤が担持され、雑菌の繁殖が抑制されて乳頭の炎症発生が抑制される。しかも、不織布の素繊維と結合して水に溶出しない抗菌剤であるから、乳頭パッチ（１）が母乳に濡れても抗菌剤が溶出せず、間接的に乳児の口に入るおそれがない。
【００２９】
このような非溶出性抗菌剤として、カチオン化剤およびこのカチオン化剤を介して担持される酸化還元能を有する金属錯体を用いることが好ましい。具体的な酸化還元能を有する金属錯体として、酸化還元能を有する金属ポルフィリン、金属ポルフィラジンおよびこれらの誘導体、ならびに高分子金属錯体（以下、これらを総称して「金属錯体」と省略する）を推奨できる。これらの金属錯体は、母乳で長時間濡れた際に発生する悪臭の原因物質を分解して消臭する効果を有するとともに、変異原物質を吸着するものである。
【００３０】
前記金属ポルフィリンおよびその誘導体は下記（Ｆ１）に示す構造式で表され、金属ポルフィラジンは下記（Ｆ２）に示す構造式で表される。両式において、ＭはＦｅ、Ｃｏ、Ｍｎ、Ｔｉ、Ｖ、Ｎｉ、Ｃｕ、Ｚｎ、Ｍｏ、Ｗ等の金属のイオンを例示できる。これらの金属イオンのうち抗菌、消臭効果の点でＦｅまたはＣｏが好ましい。両式において、Ｘは水素または置換基を示す。置換基としては、アルキル基、置換アルキル基（例えばクロロメチル基）、ハロゲン基、ニトロ基、アミノ基、アゾ基、チオシアネート基、カルボキシル基、カルボニルクロリド基、カルボキシルアミド基、ニトリル基、水酸基、アルコキシル基、フェノキシル基、スルホン酸基、スルホニルクロリド基、スルホンアミド基、チオール基、アルキルケイ素基、ビニル基等の他、カルボキシル基やスルホン酸基のアルカリ塩等が挙げられる。これらは単独または２種類以上が用いられる。これらのなかでも、好ましくはカルボキシル基やスルホン酸基またはこれらのアルカリ塩類、アミノ基、ハロゲン基、水酸基に置換した金属錯体が用いられる。
【００３１】
【化１】
2004316006.tif 000003
【００３２】
【化２】
2004316006.tif 000004
【００３３】
また、前記高分子金属錯体とは、高分子配位子または配位性オリゴマーがその連鎖のごく一部に局在または全体に分散して金属錯体が構成されているもの、または低分子配位子と金属イオンとから形成された錯体であるが、高分子量（通常、分子量が１万以上）であるものを指す。高分子金属錯体の例としては、ポリビニルアルコールと銅イオンとの分子内キレート錯体、ポリビニルアミンと鉄イオンとの錯体、および金属酵素（例えばカタラーゼ、ペルオキシダーゼ、ペプチダーゼ等）が挙げられる。
【００３４】
金属錯体のうち、安定性が高く、工業的生産が可能で比較的安価である点で、特に金属フタロシアニンが好ましく、さらに金属フタロシアニンポリカルボン酸が好ましい。中心金属（Ｍ）は、Ｆｅ、Ｃｏが好ましい。下記（Ｆ３）に、その一例である２、３、９、１０、１６、１７、２３、２４−オクタカルボキシフタロシアナート（２−）Ｆｅ（ＩＩＩ）（以下、鉄フタロシアニンオクタカルボン酸と省略する）を示す。
【００３５】
【化３】
2004316006.tif 000005
【００３６】
前記金属錯体は、カチオン化剤を介して素繊維に担持される。カチオン化剤は素繊維をカチオン化して前記金属錯体を間接的に担持させるとともに、それ自体に菌の吸着による抗菌効果を有する。カチオン化剤の種類は特に限定されないが、取扱い易く、良好な染色特性を有し、臭気がない等の点で第４級アンモニウム塩が好ましい。下記（Ｆ４）にその一例であるＮ−Ｎ’−ジ−（３−クロロ−２−ヒドロキシ−プロピル）−Ｎ−Ｎ’−テトラメチル−ｎ−ヘキサン−１，６−ジアンモニウム  ジクロライド（以下、テトラメチルヘキサメチレンジアミン４級塩と省略する）を示す。
【００３７】
【化４】
2004316006.tif 000006
【００３８】
図４および図５に、セルロースをテトラメチルヘキサメチレンジアミン４級塩（Ｆ４）でカチオン化した状態を例示する。本図に示すように、セルロースの水酸基とテトラメチルヘキサメチレンジアミン４級塩の両端とが共有結合し、正電荷をもつＮ基（２１）によってセルロース（２０）はカチオン化される。そして、図６に示すように、カチオン化されたセルロース（２０）を（Ｆ３）に示した鉄フタロシアニンオクタカルボン酸（２２）で処理すると、一部のＮ基（２１）に負電荷をもつＣＯＯ−基がイオン結合する。
【００３９】
上述したように素繊維に担持されたカチオン化剤および金属錯体はいずれも水に溶出しないため、乳頭パッチ（１）が母乳で濡れても、これらが乳頭を介して乳児の口に入るおそれはなく、安全である。
【００４０】
前記カチオン化剤および金属錯体を不織布に担持させる方法として下記の方法を推奨できる。
【００４１】
まず、素繊維を常法に従ってカチオン化剤で処理し、次いでカチオン化された素繊維を金属錯体の水溶液に浸漬して該金属錯体をカチオン化剤に結合させる。即ち、不織布に形成する前の素繊維の段階で非溶出性抗菌剤を担持させる。素繊維に対するカチオン化剤および金属錯体の担持量は特に限定されない。例えば、金属錯体の担持量は、十分な消臭性能を得るために素繊維に対する重量比で０．１〜０．５％が好ましい。なお、本発明は０．５％を越える担持量を排除するものではない。０．５％で乳頭パッチに必要な消臭性能が十分に得られるため、それ以上に担持させる意味が乏しく、かつコストアップとなるため、０．５％以下を適正担持量の目安とする。。また、カチオン化剤は上記量の金属錯体を結合させ得る量を適宜使用するものとし、例えば上述したカチオン化処理において、素繊維重量の５〜１０％のカチオン化剤を用ることが好ましい。
【００４２】
次いで、非溶出性抗菌剤を担持させた素繊維を原料として、これらの素繊維を結合させて所要目付および厚さの不織布に形成する。上述したように好適な不織布の種類はスパンレースであるが、本発明に用いる抗菌剤は非溶出性であるから、交絡・結合工程で高圧水を噴射しても抗菌剤が脱落するおそれはない。また、不織布に形成した後の担持処理では強力な結合力を得られず、この点でも素繊維段階でも担持処理を推奨できる。なお、不織布形成後の担持処理において、強力な結合力を得るためにバインダーを使用することは、乳児に対する安全性確保の観点から好ましくない。
【００４３】
非溶出性抗菌剤を担持させた不織布は、所定寸法に適宜裁断してシート状本体（１０）とし、一面側の周縁部に剥離紙（１２）付きの粘着テープ（１１）を取付け、これを乳頭パッチ（１）とする。
【００４４】
前記シート状本体（１０）の形状は何ら限定されない。図１に示した円形の他、三角形、四角形、六角形等の角形に形成しても良い。
【００４５】
図７に、角形例としてシート状本体（１０’）が正方形に形成された乳頭パッチ（３）を示す。この乳頭パッチ（３）においては、上下に対向する２辺にのみ粘着テープ（１１’）および剥離紙（１２’）が取付けられている。
【００４６】
シート状本体が正三角形、正方形等の四角形、正六角形等の角形であれば、不織布の原反から裁断する際に裁断屑が生じず不織布を無駄なく使いきることができる。また、直線で裁断できるため、裁断作業も簡単である。特に四角形は裁断作業が簡単である点で推奨できる。また図７に示すように、角形のシート状本体（１０’）であれば周縁部に取付ける粘着テープ（１１’）および剥離紙（１２’）も直線状となり、これらのテープ（１１’）（１２’）にも裁断屑が生じず、裁断作業や取付作業が容易である。全周に取付ける場合でも、所定幅のテープを各辺に取付ければ良いからやはり裁断屑は生じない。以上の点で、角形のシート状本体（１０’）は製造コストを抑えることができる点が有利である。
【００４７】
一方、図１に示した円形のシート状本体（１０）は上下左右のない形状であるから、ほぼ円形のパッド（２）に貼り付ける際に位置決めが容易である点が有利である。無論、角形のシート状本体（１０’）であっても、シート状本体（１０’）の中心に乳頭が当たるように位置決めすれば、斜めに貼り付けたとしても何の不都合もなく使用できる。しかし、角形のものは真っ直ぐに貼りたくなるものであり、このような心理的観点から円形は位置決めが容易であるといえる。
【００４８】
また、粘着テープ（１１）（１１’）は、図１のように全周に取り付けることも、図７のように周縁部の一部分に取付けることもできる。また、全周取付または部分取付はシート状本体の形状に拘わらず選択することができ、円形のシート状本体（１０）に対して周縁部の一部分に取付けても良いし、角形のシート状本体（１０’）に対して全周に取付けても良い。
【００４９】
乳頭パッチ（１）（３）は常時乳房に押し付けられた状態で使用されるため、部分取付であっても捩れることなく安定した装着状態が得られる。粘着テープ（１１）（１１’）は少なくとも１箇所に取付ければパッド（２）に装着できるが、確実に安定した装着状態を得るためには２箇所以上が好ましい。また、部分取付で周縁部に粘着テープのない箇所があると、使用後にその部分を摘んで引っ張れば簡単に剥がすことができる。さらに粘着テープの使用量も少なく材料コストを抑えることができる。取付位置は限定されないが、安定した装着状態を得るために等間隔を推奨でき、例えば図７に示す四角形のシート状本体（１０’）の場合は対向する２辺に取付けることが好ましい。
【００５０】
さらに、本実施形態では粘着剤を粘着テープ（１１）（１１’）としてシート状本体（１０）（１０’）に付与したが、粘着剤をシート状本体（１０）（１０’）に直接塗布することもできる。
【００５１】
本発明の乳頭パッチの使用により、しみ出した母乳に起因する雑菌の繁殖を防ぐとともに雑菌の繁殖によって発生する臭気を消すことができ、ひいてはパッドまたはブラジャーの洗濯回数を減らして授乳婦の負担を軽くすることができる。また、ディスポーザブルと雖も、薄い小径のシートであるから廃棄物量を可及的に少なくすることができ、環境への負荷を最小限に留め得る。
【００５２】
【実施例】
図１に示す円形の乳頭パッチ（１）を製作した。
【００５３】
シート状本体（１０）として、抗菌性を有するスパンレース不織布（大和紡績株式会社製、商品名「デオメタフィ」）を用いた。前記スパンレース不織布は、不織布の製造工程において、素繊維（セルロース）を（Ｆ３）に示すテトラメチルヘキサメチレンジアミン４級塩でカチオン化し、さらに（Ｆ４）に示す鉄フタロシアニンオクタカルボン酸を結合させてこれらを担持させ（図４〜６参照）、その後常法に基づいて高圧水の噴射により素繊維を交絡させて不織布に形成したものである。不織布の目付は７０ｇ／ｍ２、厚さは０．５ｍｍである。そして、この抗菌性スパンレース不織布を直径７ｃｍの円形に裁断してシート状本体（１０）とした。
【００５４】
次いで、前記シート状本体（１０）の一面側の周縁部に剥離紙（１２）を積層した幅９ｍｍの粘着テープ（１１）を接合し、これを乳頭パッチ（１）とした。
【００５５】
前記乳頭パッチ（１）を１１名の被験者に対して試用試験を行った。被験者はいずれも乳頭亀裂の症状のある授乳婦であり、表１にそのプロフィールを示す。被験者は、各自日常使用しているパッド（２）またはブラジャーに乳頭パッチ（１）を貼り付けて試験を行った。また、乳頭パッチ（１）の交換頻度、使用期間は各被験者が任意に決めるものとし、パッド（２）またはブラジャーは１日１回交換し洗濯するものとした。そして、亀裂の治癒状態、臭い（所謂、乳臭さについて）、肌のかぶれ、母乳の吸収力、パッチの厚さと柔軟性の各項目について、各被験者が評価した。なお、亀裂に関し、乳頭パッチ使用前より治療を受けている場合は引き続き治療を受けながらパッチを使用した。表１に、乳頭パッチの使用状況および評価結果を表１に示す。
【００５６】
【表１】
2004316006.tif 000007
【００５７】
表１の結果より、乳頭パッチの使用によって雑菌の繁殖が抑制されたものと推測され、その結果乳頭の亀裂が改善された。また、消臭効果も確認することができた。さらに、乳頭パッチの使用による肌のかぶれも無く、パッドまたは授乳用ブラジャーへの母乳の吸収も円滑に行われることも確認できた。また、パッチは十分に柔軟で亀裂の生じた乳頭に対しても違和感がなく押さえ過ぎることもなかった。
【００５８】
【発明の効果】
以上説明したように、本発明の乳頭パッチは、シート状本体が非溶出性抗菌剤を担持させた不織布からなり、このシート状本体の一面側の周縁部に粘着剤が付与されてなるため、粘着剤により授乳用パッドまたはブラジャーに貼り付けて使用することによって、しみ出した母乳に起因する雑菌の繁殖を防ぎ、ひいてはパッドまたはブラジャーの洗濯回数を減らして授乳婦の負担を軽くすることができる。抗菌剤は非溶出性であるからパッチが母乳で濡れても不織布から脱落することはないので、乳頭を介して乳児の口に入ることもなく安全である。また、ディスポーザブルと雖も、薄い小径のシートであるから廃棄物量を可及的に少なくすることができる。
【００５９】
前記不織布がレーヨンである場合は、柔軟であり、木質パルプを原料とするため安全性の確保および製造工程管理が容易である。またセルロースであるから分子内に多くの水酸基を有し後述する抗菌剤の担持に有利であり、使用後に焼却しても有害物質が発生しない。
【００６０】
前記不織布がスパンレースである場合は、バインダーを用いず繊維間の結合がなされるため、柔軟でバインダーが間接的に乳児の口に入るといった危険がなく、安全性を確保できる。
【００６１】
前記不織布の目付が５０〜２００ｇ／ｍ２である場合は、柔軟で乳頭への刺激がなくパッドの丸みに沿い易い。
【００６２】
前記不織布の厚さが０．３〜１ｍｍである場合は、柔軟で乳頭への刺激がなくパッドの丸みに沿い易い。
【００６３】
前記シート状本体が四角形である場合は、原反から裁断する際に裁断作業が容易であり裁断屑も生じない。
【００６４】
前記シート状本体の円相当直径が６〜８ｃｍである場合は、十分に乳輪を覆い、かつ材料に無駄がなく、パッドの丸みにも沿わせ易い。
【００６５】
前記粘着剤が周縁部の一部に付与されている場合は、粘着剤の使用量が少なくて済み、また使用後に剥がし易い。
【００６６】
前記抗菌剤が、カチオン化剤およびこのカチオン化剤を介して担持される酸化還元能を有する金属錯体であって、前記酸化還元能を有する金属錯体は金属ポルフィリン、金属ポルフィラジンおよびこれらの誘導体ならびに高分子金属錯体のなかから選ばれた少なくとも１種である場合は、カチオン化剤の抗菌作用と金属錯体の消臭作用により、雑菌の繁殖防止とともに雑菌の繁殖によって発生する臭気を消すことができるる。
【００６７】
また、前記酸化還元能を有する金属錯体が金属フタロシアニンである場合は、特に上記効果を確実に得ることができる。。
【００６８】
また、前記カチオン化剤が第４級アンモニウム塩である場合は、特に上記効果を確実に得ることができる。
【図面の簡単な説明】
【図１】（Ａ）は本発明にかかる乳頭パッチの一実施形態の平面図、（Ｂ）は（Ａ）のＩＢ−ＩＢ線断面図である。
【図２】乳頭パッチのパッドへの装着方法を示す斜視図である。
【図３】乳頭パッチの使用方法を示す断面図である。
【図４】セルロースとカチオン化剤の共有結合のモデル図である。
【図５】カチオン化されたセルロースの模式図である。
【図６】カチオン化剤および鉄フタロシアニンオクタカルボン酸が担持されたセルロースの模式図である。
【図７】本発明にかかる乳頭パッチの他の実施形態の平面図である。
【符号の説明】
１、３…乳頭パッチ
２…パッド
１０、１０’…シート状本体
１１、１１’…粘着テープ（粘着剤）
【図１】
2004316006.tif 000008
【図２】
2004316006.tif 000009
【図３】
2004316006.tif 000010
【図４】
2004316006.tif 000011
【図５】
2004316006.tif 000012
【図６】
2004316006.tif 000013
【図７】
2004316006.tif 000014